(57)【要約】【課題】良好な音響特性を維持して小型化・薄型化を図ることができる携帯端末を提供する。【解決手段】筐体２０に設けられた筐体音孔３１から、音声を筐体２０に外側に放音するレシーバ３０は、筐体２０の内側においてカバー２２により筐体音孔３１に対する位置に保持される。レシーバホルダ３２では、筐体２０の内側に設けられた段差部２５に係合する第１爪部３２３を有する第１腕部３２２が、筐体２０の内側に延びて設けられている。また、レシーバホルダ３２における第１腕部３２２の長手方向に連続して、第１爪部３２３を射出成形する際に喰い切り孔として形成される貫通孔３２７が設けられている。さらに、レシーバホルダ３２におけるレシーバ３０とは反対側の背面において、貫通孔３２７に連続し、かつ、背面に沿って所定長さ連続する溝部３２８を設けたので、貫通孔３２７および溝部３２８を通って、レシーバ３０の背面からレシーバホルダ３２の背面側に音抜けできる。【選択図】図３
2013106075.tif 000002
【特許請求の範囲】
【請求項１】
ケースおよびカバーを有する筐体と、
前記筐体に収容されたレシーバと、
前記レシーバの音声を前記筐体に外側に放音する筐体音孔と、
前記筐体の内側において前記レシーバを前記筐体音孔に対する位置に保持するレシーバホルダと、
前記レシーバホルダから前記筐体の内側に延びる第１腕部と、
前記第１腕部に設けられ、前記筐体の内側に設けられた段差部に係合する第１爪部と、
前記レシーバホルダにおける前記第１腕部の長手方向に連続して設けられ、前記レシーバホルダを貫通する貫通孔と、
前記レシーバホルダにおける前記レシーバとは反対側の背面において前記貫通孔に連続し、かつ、前記背面に沿って所定長さ連続する溝部とを備える携帯端末。
【請求項２】
請求項１に記載の携帯端末において、
前記筐体の内外を連通する開口と、
前記筐体に収容された回路基板と、
前記回路基板の第１実装面に実装され、前記開口を通じて前記筐体の外部から接続可能なコネクタと、を備え、
前記コネクタが前記レシーバホルダおよび前記回路基板に挟持される携帯端末。
【請求項３】
請求項１または請求項２に記載の携帯端末において、
前記ケースおよび前記カバーが、前記筐体の厚み方向に沿う固定ビスにより相互固定され、
前記レシーバホルダが前記ケースおよび前記カバー間に挟持されるとともに前記固定ビスに挿通される被固定部を有する携帯端末。
【請求項４】
請求項２または請求項３に記載の携帯端末において、
前記レシーバホルダが、
前記回路基板の厚み方向に沿って延びる第２腕部と、
前記第２腕部に設けられ、前記回路基板における前記第１実装面とは反対側の第２実装面に係合する第２爪部と、を有する携帯端末。
【請求項５】
請求項４に記載の携帯端末において、
前記ケースおよび前記カバーのうちの一方から他方に向かって延びるとともに、前記ケースおよび前記カバーのうちの他方に係合する固定爪部を有し、
前記第２爪部および前記固定爪部が互いに湾曲方向に沿って隣接しているとともに、前記第２爪部および前記固定爪部における係合解除方向が対向している携帯端末。
【請求項６】
請求項２ないし請求項５のうちのいずれか１項に記載の携帯端末において、
前記レシーバホルダおよび前記コネクタ間に両面テープが介装されている携帯端末。
【発明の詳細な説明】
【技術分野】
【０００１】
本発明は、筐体内にレシーバを有する携帯端末に関するものである。
【背景技術】
【０００２】
従来より、筐体内にレシーバを有する携帯端末としての携帯電話が知られている（例えば、特許文献１参照）。
図９に示すように、特許文献１に記載の携帯電話１００は、例えば、表示器側筐体とキー側筐体とが、ヒンジ部１０１を介して相互回動自在に連結された折り畳み式である。
ヒンジ部１０１のヒンジケース１０２は、ヒンジフロントケース１０３とヒンジリアケース１０４とが対向して構成され、ヒンジケース１０２の内部にはスピーカユニット１０５が収納されている。
【０００３】
ヒンジフロントケース１０３の正面部には、ケース横幅方向両側において筐体厚さ方向（図９における下方向）に向けて開口する第１放音孔１０６が形成されている。各第１放音孔１０６に対向して、ヒンジケース１０２の内部にスピーカ１０７が配設されている。両スピーカ１０７，１０７は、スピーカホルダ１０８に保持されており、スピーカホルダ１０８は、ヒンジケース１０２の内部に支持されている。
また、ヒンジリアケース１０４には、各スピーカ１０７の側面側に対向した位置に筐体幅方向に向けて開口する第２放音孔１０９が形成されている。
なお、スピーカ１０７とスピーカホルダ１０８とによって、遮音シート１１０が挟持されている。
【先行技術文献】
【特許文献】
【０００４】
【特許文献１】特開２００８−１８２６０２号公報（第６図）
【発明の概要】
【発明が解決しようとする課題】
【０００５】
一般に、良好な音響特性を得るために、音響部品（以後、「レシーバ」という。）の周辺に後気室という共鳴空間を設けることが行われる。
しかしながら、小型化・薄型化が要求される携帯端末においては、レシーバと後気室とを離して設ける場合がある。この場合には、レシーバと後気室との間に音抜け経路を設ける必要があり、別途、音抜け経路を設ける場合には、携帯端末の小型化・薄型化を妨げるという問題があった。
【０００６】
本発明は、従来の問題を解決するためになされたもので、良好な音響特性を維持して小型化・薄型化を図ることができる携帯端末を提供することを目的とする。
【課題を解決するための手段】
【０００７】
本発明の携帯端末は、ケースおよびカバーを有する筐体と、前記筐体に収容されたレシーバと、前記レシーバの音声を前記筐体に外側に放音する筐体音孔と、前記筐体の内側において前記レシーバを前記筐体音孔に対する位置に保持するレシーバホルダと、前記レシーバホルダから前記筐体の内側に延びる第１腕部と、前記第１腕部に設けられ、前記筐体の内側に設けられた段差部に係合する第１爪部と、前記レシーバホルダにおける前記第１腕部の長手方向に連続して設けられ、前記レシーバホルダを貫通する貫通孔と、前記レシーバホルダにおける前記レシーバとは反対側の背面において前記貫通孔に連続し、かつ、前記背面に沿って所定長さ連続する溝部とを備えるものである。
【０００８】
また、本発明の携帯端末は、前記筐体の内外を連通する開口と、前記筐体に収容された回路基板と、前記回路基板の第１実装面に実装され、前記開口を通じて前記筐体の外部から接続可能なコネクタと、を備え、前記コネクタが前記レシーバホルダおよび前記回路基板に挟持されるものである。
【０００９】
また、本発明の携帯端末では、前記ケースおよび前記カバーが、前記筐体の厚み方向に沿う固定ビスにより相互固定され、前記レシーバホルダが前記ケースおよび前記カバー間に挟持されるとともに前記固定ビスに挿通される被固定部を有するものである。
【００１０】
また、本発明の携帯端末では、前記レシーバホルダが、前記回路基板の厚み方向に沿って延びる第２腕部と、前記第２腕部に設けられ、前記回路基板における前記第１実装面とは反対側の第２実装面に係合する第２爪部と、を有するものである。
【００１１】
また、本発明の携帯端末は、前記ケースおよび前記カバーのうちの一方から他方に向かって延びるとともに、前記ケースおよび前記カバーのうちの他方に係合する固定爪部を有し、前記第２爪部および前記固定爪部が互いに湾曲方向に沿って隣接しているとともに、前記第２爪部および前記固定爪部における係合解除方向が対向しているものである。
【００１２】
さらに、本発明の携帯端末では、前記レシーバホルダおよび前記コネクタ間に両面テープが介装されているものである。
【発明の効果】
【００１３】
本発明では、レシーバホルダにおける第１腕部の長手方向に連続して、爪部を射出成形する際に喰い切り孔として形成される貫通孔が設けられている。また、レシーバホルダにおけるレシーバとは反対側の背面において、貫通孔に連続し、かつ、背面に沿って所定長さ連続する溝部を設けたので、貫通孔および溝部を通って、レシーバの背面からレシーバホルダの背面側に音抜けできる。これにより、レシーバホルダの背面側において後気室を設ける位置の自由度が増すとともに、レシーバホルダ等に別途音抜け経路を設ける必要がなくレシーバホルダや筐体の大型化を防止できるので、良好な音響特性を維持して小型化・薄型化を図ることができるという効果を有する携帯端末を提供できる。
【図面の簡単な説明】
【００１４】
【図１】（Ａ）は本発明に係る実施形態の携帯端末を上面側から見た斜視図であり、（Ｂ）は下面側から見た斜視図
【図２】携帯端末の下面を上にして見た分解斜視図
【図３】カバー前端部を下方から見た分解斜視図
【図４】レシーバホルダを上方から見た斜視図
【図５】レシーバホルダを下方から見た斜視図
【図６】図１中ＶＩ−ＶＩ位置の断面図
【図７】レシーバホルダとカバーの取付部を示す拡大斜視図
【図８】接続部の外観を示す斜視図
【図９】従来の携帯端末におけるヒンジ部の断面図
【発明を実施するための形態】
【００１５】
以下、本発明に係る実施形態の携帯端末について、図面を用いて説明する。
図１（Ａ）および（Ｂ）に示すように、本発明に係る実施形態の携帯端末１０としては、例えばスマートフォンを用いることができ、矩形箱状の筐体２０を有する。
なお、以下の説明において、使用者が、操作部を通常操作する状態において上方となる側を上側と云い、使用状態において下方となる側を下側と云うこととする。
【００１６】
図１（Ａ）、（Ｂ）および図２に示すように、筐体２０は、上方に開口した箱状のケース２１と、ケース２１の開口を覆うカバー２２とを有する。
カバー２２は、強度確保のための板金部材（図示省略）がインサート成形されており、表面は樹脂で覆われている。カバー２２は、例えば、上面２２２に、表示部および操作部を兼ね備えたタッチパネル２２１を有する。
【００１７】
ケース２１は樹脂により成形されている。ケース２１は、矩形板状の底板２３と、底板２３の外周に沿って全周に設けられている縦壁２４を有する。また、底板２３における前部下面にはリング状のフレーム２３１が設けられており、フレーム２３１の中心にはカメラユニット４０のレンズ４１と対向する透光性の保護カバー２３２が設けられている。
ケース２１前面の縦壁２４である前縦壁２４１には、外部機器との接続部２６が設けられており、側面である側縦壁２４２には、複数個のサイドキーを有するサイドキー部６０が設けられている。
【００１８】
図１および図２に示すように、ケース２１は、ケース本体２１１と、ケース本体２１１に設けられた電池用開口（図示省略）を覆う電池蓋５０を有する。
カバー２２は、後部（図２中右側部）に、電池パック（図示省略）を収容可能な電池収容部２２３を有する。
従って、電池収容部２２３の下側（図２において上側）にはケース２１の電池パック用開口（図示省略）が位置し、電池蓋５０により覆われる。
【００１９】
図２に示すように、カバー２２には、電池収容部２２３の前側に隣接して、回路基板としての第１回路基板２７が取り付けられる。また、カバー２２には、第１回路基板２７とは反対側で電池収容部２２３の後側（図２において右側）に隣接して、第２回路基板２８が取り付けられる。第１回路基板２７と第２回路基板２８との間には、電線（図示省略）が配線されている。
また、カバー２２の内面２２４前端部には、ケース２１に係合する固定爪部２９が設けられている。固定爪部２９の先端（下端）には、前方に突出する固定爪２９１が設けられている（図３参照）。
【００２０】
図２および図３に示すように、カバー２２の前端部にはレシーバ３０が設けられており、カバー２２の上面２２２のタッチパネル２２１の一端には、レシーバ３０の音を筐体２０の外に放出する筐体音孔３１（図１参照）が設けられている。
レシーバ３０は、カバー２２により筐体音孔３１に対する位置に保持され、フレキシブル基板３３を介して第１回路基板２７に接続される。
【００２１】
図４に示すように、レシーバホルダ３２は、細幅の板状部材であるホルダ本体３２１を有し、ホルダ本体３２１の中央部には、上方に向かって第１腕部３２２が設けられている。第１腕部３２２の先端（上端）には、筐体２０の中心側に向かって突出する第１爪部３２３が設けられており、カバー２２の内面２２４に設けられた段差部２５に係合する（図６参照）。第１腕部３２２は、ホルダ本体３２１の長手方向に沿って一対設けられており、各第１爪部３２３は互いに向かい合う。
従って、レシーバホルダ３２は、一対の第１腕部３２２によりカバー２２の段差部２５を挟むように取り付けられる。
【００２２】
図５に示すように、ホルダ本体３２１の長手方向中央部には、下方に向かって第２腕部３２４が設けられている。第２腕部３２４の先端（下端）には、後方に突出する第２爪部３２５が設けられており、第１回路基板２７における第２実装面２７２の前端部に係合する（図６参照）。ホルダ本体３２１の下面３２１Ａ側には、接続部２６に対応する位置には、両面テープ３２９が貼付けられている。
また、ホルダ本体３２１の長手方向一端部には、被固定部である固定ビス孔３２６が設けられている。
【００２３】
図５および図６に示すように、ホルダ本体３２１における各第１腕部３２２の長手方向（下方）に連続して、ホルダ本体３２１を上下方向に貫通する貫通孔３２７が各々設けられている。各貫通孔３２７は、第１腕部３２２および第１爪部３２３の成形時に形成される。
ホルダ本体３２１の背面である下面３２１Ａには、各貫通孔３２７に連続して、筐体２０の外側に向かって溝部３２８が各々形成されている。
これにより、レシーバ３０から発せられた音声は、貫通孔３２７から溝部３２８を通って、筐体２０内部に放出される（図６中矢印Ａおよび矢印Ｂ参照）。
【００２４】
前述したように、ケース２１とカバー２２は、固定爪部２９により嵌め合って一体化する。同時に、図６に示すように、固定ビス１１を用いて、ケース２１とカバー２２とを一層確実に結合する。
このとき、図６および図７に示すように、レシーバホルダ３２をケース２１とカバー２２との間に配置して挟持する。
すなわち、ケース２１、レシーバホルダ３２、カバー２２を積層し、固定ビス１１を、ケース側取付部２１２，レシーバホルダ３２の固定ビス孔３２６、カバー側取付部２２５に挿通して締結する。
【００２５】
前述したように、固定爪２９１は、第２腕部３２４の第２爪部３２５と背中合わせに配置される。
すなわち、図７に示すように、第２腕部３２４では、第２爪部３２５は後方に突出しており、第２腕部３２４の後方で第１回路基板２７を係止する。一方、固定爪部２９では、固定爪２９１が前方に突出している。
ここで、第２爪部３２５の係合解除方向は前方であり、固定爪２９１の解除方向は後方であるので、第２爪部３２５と固定爪２９１の係合解除方向は対向している。
【００２６】
図８に示すように、接続部２６においては、筐体２０の内外を連通する開口２６１が設けられており、開口２６１を覆う蓋２６２（図１参照）が、着脱可能に設けられている。図７に示すように、開口２６１の内側においては、第１回路基板２７の第１実装面２７１に、外部機器を接続可能なコネクタ２６３が実装されている。
【００２７】
前述したように、第１回路基板２７とレシーバホルダ３２とは、第２腕部３２４により結合されている。このため、第１回路基板２７の第１実装面２７１に実装されているコネクタ２６３は、第１回路基板２７とレシーバホルダ３２との間に挟持される。
このとき、コネクタ２６３は、レシーバホルダ３２の下面３２１Ａ側に貼付けられている両面テープ３２９（図５参照）により、固定される。
【００２８】
以上、説明した本発明に係る実施形態の携帯端末１０によれば、筐体２０に設けられた筐体音孔３１から、音声を筐体２０に外側に放音するレシーバ３０は、筐体２０の内側においてカバー２２により筐体音孔３１に対する位置に保持される。
レシーバホルダ３２では、筐体２０の内側に設けられた段差部２５に係合する第１爪部３２３を有する第１腕部３２２が、筐体２０の内側に延びて設けられている。また、レシーバホルダ３２における第１腕部３２２の長手方向に連続して、第１爪部３２３を射出成形する際に喰い切り孔として形成される貫通孔３２７が設けられている。さらに、レシーバホルダ３２におけるレシーバ３０とは反対側の下面３２１Ａにおいて、貫通孔３２７に連続し、かつ、下面３２１Ａに沿って所定長さ連続する溝部３２８を設けた。このため、貫通孔３２７および溝部３２８を通って、レシーバ３０の下面３０１（図４参照）からレシーバホルダ３２の下面３２１Ａ側に音抜けできる。
【００２９】
これにより、レシーバホルダ３２の下面３２１Ａ側において後気室を設ける位置の自由度が増す。
また、レシーバホルダ３２等に別途音抜け経路（すなわち、孔や切欠き）を設ける必要がなくレシーバホルダ３２や筐体２０の大型化を防止できるので、良好な音響特性を維持して小型化・薄型化を図ることができる。
【００３０】
筐体２０に収容された第１回路基板２７の第１実装面２７１に実装され、筐体２０の内外を連通する開口２６１を通じて筐体２０の外部から接続可能なコネクタ２６３は、レシーバホルダ３２および第１回路基板２７に挟持される。
このため、コネクタ２６３は強固に取り付けられ、コネクタ２６３に外部コネクタ（図示省略）を頻繁に着脱しても、コネクタ２６３のガタツキや破損等を防止できる。
【００３１】
ケース２１およびカバー２２は、筐体２０の厚み方向に沿う固定ビス１１により相互に固定されている。レシーバホルダ３２は、ケース２１およびカバー２２間に挟持されて、固定ビス孔３２６が固定ビス１１に挿通されて固定されるので、レシーバホルダ３２は強固に固定される。
【００３２】
レシーバホルダ３２には、第１回路基板２７の厚み方向に沿って延びる第２腕部３２４が設けられており、第２腕部３２４に設けられている第２爪部３２５が、第１回路基板２７における第１実装面２７１とは反対側の第２実装面２７２に係合する。
このため、レシーバホルダ３２は、第１腕部３２２により筐体２０に係止されるとともに、第２腕部３２４により第１回路基板２７に係止されるので、強固に取り付けられる。
【００３３】
カバー２２は、ケース２１に向かって延びてケース２１に係合する固定爪部２９を有し、第２腕部３２４の第２爪部３２５と固定爪部２９の固定爪２９１とが、湾曲方向に沿って隣接するとともに、係合解除方向が対向している。
このため、係合解除方向の移動を互いに規制するので、コネクタ２６３に外部コネクタを頻繁に着脱したり、コネクタ２６３に外部コネクタを挿入した状態で上下方向に外部コネクタをこじった場合にも、それぞれの係合状態を維持でき、コネクタ２６３のガタツキや破損等を防止できる。
【００３４】
レシーバホルダ３２およびコネクタ２６３間に両面テープ３２９が介装されているので、コネクタ２６３は、レシーバホルダ３２に容易に且つ確実に取り付けられる。
このため、コネクタ２６３に外部コネクタを頻繁に着脱したり、コネクタ２６３に外部コネクタを挿入した状態で左右方向に外部コネクタをこじった場合にも、コネクタ２６３への負荷を軽減でき、コネクタ２６３のガタツキや破損等を防止できる。
【００３５】
なお、本発明の携帯端末１０は、前述した実施形態に限定されるものでなく、適宜な変形，改良等が可能である。
【産業上の利用可能性】
【００３６】
以上のように、本発明にかかる携帯端末は、レシーバホルダにおける第１腕部の長手方向に連続して、爪部を射出成形する際に喰い切り孔として形成される貫通孔が設けられている。また、レシーバホルダにおけるレシーバとは反対側の背面において、貫通孔に連続し、かつ、背面に沿って所定長さ連続する溝部を設けたので、貫通孔および溝部を通って、レシーバの背面からレシーバホルダの背面側に音抜けできる。これにより、レシーバホルダの背面側において後気室を設ける位置の自由度が増すとともに、レシーバホルダ等に別途音抜け経路を設ける必要がなくレシーバホルダや筐体の大型化を防止できるので、良好な音響特性を維持して小型化・薄型化を図ることができるという効果を有し、筐体内にレシーバを有する携帯端末等として有用である。
【符号の説明】
【００３７】
１０  携帯端末
１１  固定ビス
２０  筐体
２１  ケース
２２  カバー
２５  段差部
２６１  開口
２６３  コネクタ
２７  回路基板
２７１  第１実装面
２７２  第２実装面
２９  固定爪部
３０  レシーバ
３１  筐体音孔
３２  レシーバホルダ
３２１Ａ  下面（背面）
３２２  第１腕部
３２３  第１爪部
３２４  第２腕部
３２５  第２爪部
３２６  固定ビス孔（被固定部）
３２７  貫通孔
３２８  溝部
３２９  両面テープ
【図１】
2013106075.tif 000003
【図２】
2013106075.tif 000004
【図３】
2013106075.tif 000005
【図４】
2013106075.tif 000006
【図５】
2013106075.tif 000007
【図６】
2013106075.tif 000008
【図７】
2013106075.tif 000009
【図８】
2013106075.tif 000010
【図９】
2013106075.tif 000011